(57)【要約】【課題】照明を工夫することによって、クレーンゲーム機としての演出効果を高め、集客率を向上させる。【解決手段】景品フィールドに置かれた景品を、把持手段により把持して景品落とし口を通すことで景品を取得するクレーンゲーム機において、景品を照す複数の照明機器と、把持手段による景品の把持状態を景品との距離により検出する距離センサー、または把持手段による景品の把持状態を景品との圧接状態により検出する圧力センサーと、距離センサーまたは圧力センサーの検出出力に応じて複数の照明機器の点灯および消灯を制御する制御手段とを具備し、制御手段は、距離センサーまたは圧力センサーの検出出力により複数の照明機器を第１の点灯消灯状態に制御し、景品が景品落とし口を通ったときに複数の照明機器を第２の点灯消灯状態に制御することを特徴とする。【選択図】図１
2008149200.tif 000002
【特許請求の範囲】
【請求項１】
景品フィールドに置かれた景品を、把持手段により把持して景品落とし口を通すことで景品を取得するクレーンゲーム機において、
前記景品を照す複数の照明機器と、
前記把持手段による景品の把持状態を景品との距離により検出する距離センサー、または前記把持手段による景品の把持状態を景品との圧接状態により検出する圧力センサーと、
前記距離センサーまたは前記圧力センサーの検出出力に応じて前記複数の照明機器の点灯および消灯を制御する制御手段とを具備し、
前記制御手段は、前記距離センサーまたは前記圧力センサーの検出出力により前記複数の照明機器を第１の点灯消灯状態に制御し、前記景品が景品落とし口を通ったときに前記複数の照明機器を第２の点灯消灯状態に制御することを特徴とするクレーンゲーム機。
【請求項２】
前記制御手段は、前記距離センサーまたは前記圧力センサーの検出出力により前記景品の把持状態を検出したときには、前記複数の照明機器に第１の演出コマンド（演出コマンド１）を送信し、
前記景品が景品落とし口を通ったときには、前記複数の照明機器に第２の演出コマンド（演出コマンド２）を送信し、
ゲーム開始（ステップＳ２）前においては、前記複数の照明機器にデモコマンドを送信することを特徴とする請求項１に記載のクレーンゲーム機。
【請求項３】
景品フィールドに置かれた景品を、把持手段により把持して景品落とし口を通すことで景品を取得するクレーンゲーム機において、
Ｘ軸、Ｙ軸、およびＺ軸の３軸方向にスポットライトを移動して前記景品を照す照明機器（５ｇ〜５ｈ）と、
前記把持手段による景品の把持状態を景品との距離により検出する距離センサー、または前記把持手段による景品の把持状態を景品との圧接状態により検出する圧力センサーと、
前記把持手段（２）に設けられ、該把持手段（２）の水平方向の位置（Ｘ位置およびＹ位置）と上下方向の位置（Ｚ位置）とを取得する位置検出機能付きモータ（２ａ〜２ｃ）とを具備し、
前記制御手段は、前記距離センサーまたは前記圧力センサーの検出出力により前記景品の把持状態を検出したときに、前記位置検出機能付きモータ（２ａ〜２ｃ）が検出したＸ軸、Ｙ軸、およびＺ軸の各値を解釈して該当する位置に前記照明機器（５ｇ〜５ｈ）のスポットライトを向けることを特徴とするクレーンゲーム機。
【発明の詳細な説明】
【技術分野】
【０００１】
本発明は、クレーンゲーム機に関するものである。
【背景技術】
【０００２】
従来より、景品フィールドに置かれた景品を、アームにより把持して景品取出口まで運ぶことで景品を取得するクレーンゲーム機が公知となっている。このようなクレーンゲーム機では、景品が取れたときに音と光による若干の演出があるだけで、クレーンゲーム機のプレイヤーに与える演出が不足していた。また、演出のためにクレーンゲーム機にランプ等を後から追加しているゲームセンターもあったが、所定の点灯状態を保つものが主で、プレイヤーにとって満足できるものではなかった。
【特許文献１】特開平１１−３１９３０６号公報
【特許文献２】特開２０００−３４２８３９号公報
【発明の開示】
【発明が解決しようとする課題】
【０００３】
しかしながら、照明を工夫することによって、クレーンゲーム機としての演出効果を高め、集客率を向上させることが可能となる点で従来のクレーンゲーム機には改善余地があった。
【０００４】
本発明は、上記の問題点に鑑みてなされたもので、照明により生ずる景品の光と影により、クレーンゲーム機としての演出効果を高め、集客率を向上させることを目的とする。
【課題を解決するための手段】
【０００５】
この目的を達成するために、請求項１の発明によるクレーンゲーム機は、
景品フィールドに置かれた景品を、把持手段により把持して景品落とし口を通すことで景品を取得するクレーンゲーム機において、
景品を照す複数の照明機器と、
把持手段による景品の把持状態を景品との距離により検出する距離センサー、または把持手段による景品の把持状態を景品との圧接状態により検出する圧力センサーと、
距離センサーまたは圧力センサーの検出出力に応じて複数の照明機器の点灯および消灯を制御する制御手段とを具備し、
制御手段は、距離センサーまたは圧力センサーの検出出力により複数の照明機器を第１の点灯消灯状態に制御し、景品が景品落とし口を通ったときに複数の照明機器を第２の点灯消灯状態に制御することを特徴とする。
請求項２の発明によるクレーンゲーム機は、請求項１において、
制御手段は、距離センサーまたは圧力センサーの検出出力により景品の把持状態を検出したときには、複数の照明機器に第１の演出コマンド（演出コマンド１）を送信し、
景品が景品落とし口を通ったときには、複数の照明機器に第２の演出コマンド（演出コマンド２）を送信し、
ゲーム開始（ステップＳ２）前においては、複数の照明機器にデモコマンドを送信することを特徴とする。
請求項３の発明によるクレーンゲーム機は、
景品フィールドに置かれた景品を、把持手段により把持して景品落とし口を通すことで景品を取得するクレーンゲーム機において、
Ｘ軸、Ｙ軸、およびＺ軸の３軸方向にスポットライトを移動して景品を照す照明機器（５ｇ〜５ｈ）と、
把持手段による景品の把持状態を景品との距離により検出する距離センサー、または把持手段による景品の把持状態を景品との圧接状態により検出する圧力センサーと、
把持手段（２）に設けられ、該把持手段（２）の水平方向の位置（Ｘ位置およびＹ位置）と上下方向の位置（Ｚ位置）とを取得する位置検出機能付きモータ（２ａ〜２ｃ）とを具備し、
制御手段は、距離センサーまたは圧力センサーの検出出力により景品の把持状態を検出したときに、位置検出機能付きモータ（２ａ〜２ｃ）が検出したＸ軸、Ｙ軸、およびＺ軸の各値を解釈して該当する位置に照明機器（５ｇ〜５ｈ）のスポットライトを向けることを特徴とする。
【発明の効果】
【０００６】
以上のように、本発明のクレーンゲーム機によれば、把持手段により景品を把持している状態を検出することにより、クレーンゲーム機としての演出効果を高め、集客率を向上させることが可能となる。
【０００７】
特に、複数の種類の異なる照明機器を組み合わせて点灯または消灯することにより、光と影により景品の立体感を強調することで、景品をより魅力あるものに見せることが可能となる。また、景品がスポットライトを浴びる状態でゲームを進行することにより、クレーンゲーム機としての演出効果をより高めることが可能となる。
【発明を実施するための最良の形態】
【０００８】
以下、本発明の実施の形態を図面に基づいて説明する。実施の形態は、本発明をアームにより景品を把持するクレーンゲーム機に適用した場合を例にしている。
【実施例１】
【０００９】
図１は、本発明によるクレーンゲーム機の一実施形態を示すブロック結線図である。図１において、クレーン制御ユニット１は、クレーンメカ２、キャッチメカ３、および照明制御ユニット４を制御する。クレーンメカ２は、景品フィールド（図示せず）内においてキャッチメカ３を２軸方向に水平移動すると共に、キャッチメカ３の上下駆動を行う。キャッチメカ３はキャッチャ制御ユニット３ａを有し、キャッチャ制御ユニット３ａを介してアーム３ｂを駆動すると共に、センサユニット３ｃから景品の把持状態を検出してクレーン制御ユニット１に伝達する。
【００１０】
照明制御ユニット４は、クレーン制御ユニット１に制御されて照明ユニット５を駆動することでクレーンゲーム機としての演出を行う。照明ユニット５は、それぞれ位置の異なる複数種類の光源により構成されている。即ち、照明ユニット５は、図３および図４に示すように、ハロゲンスポットランプ５ａ〜５ｂ、冷陰極管５ｃ〜５ｄ、蛍光灯５ｅ〜５ｆにより構成されている。なお、ゲームプイヤーが２人のクレーンゲーム機の場合には、図４に示すように、２組のハロゲンスポットランプ５ａ〜５ｂ、冷陰極管５ｃ〜５ｄ、蛍光灯５ｅ〜５ｆが設けられる。
【００１１】
なお、図４（図７）に示すジョイスティック６は、ゲームプイヤーが操作してキャッチメカ３を移動させるために設けられている。このように、複数の種類の異なる照明機器を組み合わせて点灯または消灯することにより、光と影により景品の立体感を強調することで、景品をより魅力あるものに見せることが可能となる。
【００１２】
アーム３ｂは、景品フィールドに置かれた景品を把持し、クレーンメカ２によりキャッチメカ３が２軸方向に水平移動されることで、景品取出口まで景品を運ぶ役割を果たす。センサユニット３ｃは光センサーであり、図２に示すように、景品１５がセンサユニット３ｃの遠くにあるときは、クレーン制御ユニット１内のＣＰＵ１ａに検出値（０１）を伝達し、景品１５がセンサユニット３ｃの遠くにある（掴めていない）ことを知らせる。また、景品１５がセンサユニット３ｃの近くにあるときは、クレーン制御ユニット１内のＣＰＵ１ａに検出値（４０）を伝達し、景品１５がセンサユニット３ｃの近くにある（掴めている）ことを知らせる。
【００１３】
クレーン制御ユニット１内のＣＰＵ１ａは、図３にフローチャートで示す動作を行う。プログラムがスタートするとステップＳ１でデモ動作を開始して、デモコマンドを照明制御ユニット４内のＣＰＵ４ａに送信する。照明制御ユニット４内のＣＰＵ４ａは、クレーン制御ユニット１内のＣＰＵ１ａから送信されてくるコマンドを解釈して照明ユニット５の照明機器（５ａ〜５ｆ）を駆動する。デモ動作時の照明ユニット５が照明機器（５ａ〜５ｆ）を駆動する演出点灯パターンを図５（ａ）に示す。
【００１４】
ステップＳ２でゲームを開始した後に、ステップＳ３において、センサユニット３ｃの検出値から景品１５がアーム３ｂによって掴めていると判断したときは、ステップＳ４で景品１５が掴めた演出を行ってからステップＳ５に移行する。景品１５が掴めたときに照明ユニット５が照明機器（５ａ〜５ｆ）を駆動する演出点灯パターンを図５（ｂ）に示す。ステップＳ３において景品１５がアーム３ｂによって掴めていないと判断したときは直ちにステップＳ５に移行する。
【００１５】
ステップＳ５において、景品１５が景品落とし口（図示せず）を通過したと判断したときは、ステップＳ６で景品１５が獲得できたときの演出を行ってからステップＳ１に戻る。景品１５が獲得できたときに照明ユニット５が照明機器（５ａ〜５ｆ）を駆動する演出点灯パターンを図５（ｃ）に示す。ステップＳ５において景品１５が獲得できていないと判断したときは直ちにステップＳ１に戻る。
【実施例２】
【００１６】
図６〜図７は、本発明によるクレーンゲーム機の第２実施形態を示すブロック結線図および斜視図である。図中、図１〜図５と同じ構成部分には同じ参照番号を付して重複した説明を省略する。
【００１７】
図６において、クレーン制御ユニット１は、クレーンメカ２内の位置検出機能付きモータ２ａ〜２ｃからクレーンメカ２の水平方向の位置（Ｘ位置とＹ位置）と上下方向の位置（Ｚ位置）とを取得する。その他にクレーン制御ユニット１には、実施例１で説明したように、景品１５の把持状態を検出した値がセンサユニット３ｃからクレーン動作情報として伝達される。
【００１８】
照明制御ユニット４内のＣＰＵ４ａは、クレーン制御ユニット１内のＣＰＵ１ａから送信されてくるコマンドを解釈して照明ユニット５の照明機器（５ｇ〜５ｈ）を駆動する。照明機器５ｇ〜５ｈは、Ｘ軸、Ｙ軸、およびＺ軸の３軸方向にスポットライトを移動可能であり、クレーン制御ユニット１内のＣＰＵ１ａからコマンドとして送信されてくるＸ軸、Ｙ軸、およびＺ軸の各値を解釈して該当する位置にスポットライトを向ける。該当する位置にはキャッチメカ３および景品１５が存在し、キャッチメカ３および景品１５がスポットライトを浴びる状態でゲームが進行し、クレーンゲーム機としての演出効果を高めて、集客率を向上させることが可能となる。
【００１９】
以上、本発明を実施の形態により説明したが、本発明の技術的思想によれば、種々の変形が可能である。例えば、上述した実施形態においては、センサユニット３ｃが光センサーであるものとして説明したが、アーム３ｂに設けられた圧力センサーや、センサユニット３ｃの下部に設けられた近接センサー等や、その組み合わせであっても良い。また、上述した実施形態においては、照明制御ユニット４が照明ユニット５を駆動するものとして説明したが、音による演出や、メカニカルな演出を付加するようにしても良い。また、把持手段としてはアームの他にバスケット、ショベル等であって良い。
【図面の簡単な説明】
【００２０】
【図１】クレーンゲーム機を示すブロック結線図である。（実施例１）
【図２】クレーンゲーム機の動作を示す説明図である。（実施例１）
【図３】クレーンゲーム機の動作を示すフローチャートである。（実施例１）
【図４】クレーンゲーム機の動作を示す斜視図である。（実施例１）
【図５】クレーンゲーム機の動作を示す説明図である。（実施例１）
【図６】クレーンゲーム機を示すブロック結線図である。（実施例２）
【図７】クレーンゲーム機の動作を示す斜視図である。（実施例２）
【符号の説明】
【００２１】
１    クレーン制御ユニット
１ａ  ＣＰＵ
２    クレーンメカ
３    キャッチメカ
３ａ  キャッチャ制御ユニット
３ｂ  アーム
３ｃ  センサユニット
４    照明制御ユニット
５    照明機器
５ａ  ハロゲンスポットランプ
５ｂ  ハロゲンスポットランプ
５ｃ  冷陰極管
５ｄ  冷陰極管
５ｅ  蛍光灯
５ｆ  蛍光灯
１５    景品
【図１】
2008149200.tif 000003
【図２】
2008149200.tif 000004
【図３】
2008149200.tif 000005
【図４】
2008149200.tif 000006
【図５】
2008149200.tif 000007
【図６】
2008149200.tif 000008
【図７】
2008149200.tif 000009